(57)【要約】  固体立て管（１１０）と、ガスライン（１２０）と、固体立て管（１１０）及びガスライン（１２０）と流体連通している固体移送ライン（１３０）と、固体移送ライン（１３０）と流体連通している分配装置（１４０）と、を備える、固体分配装置（１００）。槽及び固体分配装置（１００）を備える固体分配装置システム、ならびに流動固体を分配する方法。【選択図】図１
2018516746.tif 000002
【特許請求の範囲】
【請求項１】
固体立て管と、
ガスラインと、
前記固体立て管及び前記ガススラインと流体連通している固体移送ラインと、
前記固体移送ラインと流体連通している分配装置と、を備える、固体分配装置。
【請求項２】
前記固体分配装置が、使用済み触媒分配装置を備える、請求項１に記載の固体分配装置。
【請求項３】
前記分配装置が、中心導管及び１本以上の腕を備える、請求項１または２に記載の固体分配装置。
【請求項４】
前記分配装置が、４本の腕を備える、請求項３に記載の固体分配装置。
【請求項５】
前記腕が、開口端を備える、請求項３または４に記載の固体分配装置。
【請求項６】
前記腕が、それぞれ、細長い穴を備える、請求項３〜５のいずれか一項に記載の固体分配装置。 
【請求項７】
前記細長い穴が、先細の形状を有する、請求項５に記載の固体分配装置。
【請求項８】
槽と、
前記槽内に配置された固体分配装置であって、
固体立て管、
ガスライン、
前記固体立て管及び前記ガスラインと流体連通している固体移送ライン、ならびに
前記固体移送ラインと流体連通している分配装置、を備える、固体分配装置と、を備える、固体分配装置システム。
【請求項９】
前記固体分配装置が、使用済み触媒分配装置を備える、請求項８に記載の固体分配装置システム。
【請求項１０】
前記分配装置が、中心導管及び１本以上の腕を備える、請求項８または９に記載の固体分配装置システム。
【請求項１１】
前記分配装置が、４本の腕を備える、請求項１０に記載の固体分配装置システム。
【請求項１２】
前記腕が、開口端を備える、請求項１０または１１に記載の固体分配装置システム。
【請求項１３】
前記腕が、それぞれ、細長い穴を備える、請求項１０〜１２のいずれか一項に記載の固体分配装置システム。
【請求項１４】
前記細長い穴が、先細の形状を有する、請求項１３に記載の固体分配装置システム
【請求項１５】
前記槽が、ＦＣＣ再生器を備える、請求項８〜１４のいずれか一項に記載の固体分配装置システム。
【請求項１６】
支持システムをさらに備える、請求項８〜１５のいずれか一項に記載の固体分配装置システム。
【請求項１７】
前記支持システムが、梁、三角トラス、横梁、または引張梁を備える、請求項１６に記載の固体分配装置システム。
【請求項１８】
流動固体を分配する方法であって、
固体分配装置システムを提供することであって、前記固体分配装置システムが、槽と、前記槽内に配置された固体分配装置とを備え、前記固体分配装置が、固体立て管、ガスライン、前記固体立て管及び前記ガスラインと流体連通している固体移送ライン、ならびに、前記固体移送ラインと流体連通しており、かつ固体を、前記固体分配装置を通して前記槽の中に流す、分配装置を備える、提供することを含む、方法。
【請求項１９】
前記固体分配装置システムが、請求項８〜１８のいずれか一項に記載の固体分配装置システムを備える、請求項１８に記載の方法。
【請求項２０】
前記槽において前記固体を再生することをさらに含む、請求項１８または１９に記載の方法。
【発明の詳細な説明】
【関連出願】
【０００１】
関連出願の相互参照
本出願は、２０１５年５月１１に出願された、米国特許仮出願第６２／１５９，５４４号の優先権を主張するものであり、その開示全体が、参照により本明細書に組み込まれる。
【背景技術】
【０００２】
本開示は、概して、流動固体分配装置に関する。より具体的には、ある特定の実施形態において、本開示は、流動接触分解工程に有用な使用済み触媒分配装置、ならびに関連の方法及びシステムに関する。
【０００３】
典型的な流動接触分解ユニット（ＦＣＣＵ：Ｆｌｕｉｄ  Ｃａｔａｌｙｔｉｃ  Ｃｒａｃｋｉｎｇ  Ｕｎｉｔ）では、微細化された再生触媒が、再生器立て管を通して再生器から引き出され得、反応器ライザの下方部において炭化水素供給原料に接触し得る。炭化水素供給原料及び蒸気は、供給ノズルを通ってライザに入り得る。約２００℃〜約８００℃の範囲の温度を有し得る、供給物、蒸気、及び再生触媒の混合物は、ライザ反応器を通って上に進み、コークス層が触媒の表面に堆積し得、一時的に触媒を不活性にする間、供給物をより軽い生成物に変換し得る。
【０００４】
次に、炭化水素蒸気生成物ストリームから使用済み触媒を分離するために、ライザの上部からの炭化水素蒸気及び触媒が、サイクロンに通され得る。使用済み触媒は、ストリッパに入り、ここで、触媒から炭化水素生成物を取り除くために蒸気が導入され得る。次に、使用済み触媒は、使用済み触媒移送ラインを通過し、再生器に入り得、そこで、空気の存在下で、かつ約６２０℃〜約７６０℃の範囲の温度で、触媒活性を回復させるのに、使用済み触媒上のコークス層が燃焼され得る。再生は、流動床で行われ得る。次に、再生触媒は、再生器立て管を通して再生器流動床から引き出され得、上述のサイクルの繰り返しにおいて、反応器ライザにおいて供給原料に接触し得る。
【０００５】
触媒再生は、ＦＣＣＵ工程における重要なステップである。このステップの成功は、再生器における使用済み触媒と酸素含有ガスとの間の接触効率に左右され得る。触媒は、いくつかの様々な方法で、再生器に投入され得る。触媒を再生器に導入する１つの従来の方法は、触媒を横の進入口を通して投入することである。触媒を再生器に導入するのに使用される従来のデバイスの例には、使用済み触媒引入デバイス（ＳＣＩＤ：Ｓｐｅｎｔ  Ｃａｔａｌｙｓｔ  Ｉｎｌｅｔ  Ｄｅｖｉｃｅ）がある。通常、ＳＣＩＤシステムでは、使用済み触媒は、濃密相で再生器に運搬される。ＳＣＩＤシステムの例は、その全体が参照により本明細書に組み込まれる、米国特許第６，７９７，２３９号に説明されている。
【０００６】
ＳＣＩＤシステムは効果的である一方、このような横進入使用済み触媒分配システムは、再生器内に使用済み触媒の均一な分布をもたらすのに関する問題を抱えることがある。再生器内の使用済み触媒のより均一な分布を促進し、また、エアグリッド干渉を回避する、進入システムを開発することが望ましい。
【発明の概要】
【０００７】
本開示は、概して、流動固体分配装置に関する。より具体的には、ある特定の実施形態において、本開示は、流動接触分解工程に有用な使用済み触媒分配装置、ならびに関連の方法及びシステムに関する。
【０００８】
一実施形態において、本開示は、固体立て管と、ガスラインと、固体立て管及びガスラインと流体連通している固体移送ラインと、固体移送ラインと流体連通している分配装置と、を備える固体分配装置を提供する。
【０００９】
別の実施形態において、本開示は、槽と、槽内に配置された固体分配装置であって、固体立て管、ガスライン、固体立て管及びガスラインと流体連通している固体移送ライン、ならびに固体移送ラインと流体連通している分配装置、を備える、固体分配装置と、を備える、固体分配装置システムを提供する。
【００１０】
別の実施形態において、本開示は、流動固体を分配する方法を提供し、この方法は、固体分配装置システムを提供することであって、固体分配装置システムが、槽と、槽内に配置された固体分配装置とを備え、固体分配装置が、固体立て管、ガスライン、固体立て管及びガスラインと流体連通している固体移送ライン、ならびに固体移送ラインと流体連通しており、かつ固体及びガスの流れを槽に導入する、分配装置を備える、ことを含む。
【図面の簡単な説明】
【００１１】
本実施形態及びその利点のより完全かつ十分な理解は、添付図面に関連してなされる以下の説明を参照することによって、得られ得る。
【００１２】
【図１】本開示のある特定の実施形態による、流動固体分配装置の図である。
【図２】本開示のある特定の実施形態による、流動固体分配装置システムの図である。
【図３】本開示のある特定の実施形態による、流動固体分配装置システムの図である。
【図４】流動固体分配装置の混合効率を示す図である。  当業者には、本開示の特徴及び利点がすぐに明らかになるであろう。当業者によって多くの変更がなされ得るが、このような変更は、本開示の趣旨の範囲内にある。
【発明を実施するための形態】
【００１３】
以下に続く「発明を実施するための形態」は、代表的な装置、方法、技法、及び／または、本発明の対象の技法を具体化する命令列を含む。しかしながら、説明される実施形態は、これらの具体的な項目なしに実施され得るものと解される。
【００１４】
本開示は、概して、流動固体分配装置に関する。より具体的には、ある特定の実施形態において、本開示は、流動接触分解工程に有用な使用済み触媒分配装置、ならびに関連の方法及びシステムに関する。
【００１５】
ある特定の実施形態において、本開示は、流動固体を槽内へ運ぶ新規の方法を提供する。ある特定の実施形態において、本明細書に考察されているシステム及び方法は、槽内の流動固体の、従来のシステムより均一な分布を促進し、槽の底における内部構造物の完全な回避を可能にする。
【００１６】
ここで、図１を参照すると、図１は、本開示のある特定の実施形態による、流動固体分配装置１００を示す。ある特定の実施形態において、流動固体分配装置１００は、流動分解触媒（ＦＣＣ：Ｆｌｕｉｄｉｚｅｄ  Ｃｒａｃｋｉｎｇ  Ｃａｔａｌｙｓｔ）再生器用の使用済み触媒分配装置を含み得る。図１で分かるように、ある特定の実施形態において、流動固体分配装置１００は、固体立て管１１０、ガスライン１２０、固体移送ライン１３０、及び分配装置１４０を備え得る。ある特定の実施形態において、固体立て管１１０、ガスライン１２０、固体移送ライン１３０、及び分配装置１４０は、互いに流体連通している。
【００１７】
ある特定の実施形態において、固体立て管１１０は、使用済み触媒立て管を含み得る。ある特定の実施形態において、固体立て管１１０は、第１の端１１１、バルブ１１２、及び第２の端１１３を備え得る。ある特定の実施形態において、固体立て管１１０は、炭素鋼またはステンレス鋼製であり得る。ある特定の実施形態において、固体立て管１１０は、耐火内張りされ得る。ある特定の実施形態において、固体立て管１１０は、固体の流れを受容することができるように寸法決めされ得る。ある特定の実施形態において、固体の流れは、ＦＣＣ反応器またはＦＣＣストリッパからの使用済み触媒の流れを含み得る。ある特定の実施形態において、バルブ１１２は、固体立て管１１０を通る固体の流量の制御を可能にし得る。ある特定の実施形態において、固体立て管１１０は、第２の端１１３において固体移送ライン１３０に接続され得る。
【００１８】
ある特定の実施形態において、固体立て管１１０は、中心軸１１４に沿って位置付けされ得る。ある特定の実施形態において、中心軸１１４は、水平から下り勾配がつけられ得る。ある特定の実施形態において、中心軸１１４は、水平から０度〜９０度の範囲の角度に、下り勾配がつけられ得る。ある特定の実施形態において、中心軸１１４は、水平から４５度〜９０度の範囲の角度に、下り勾配がつけられ得る。ある特定の実施形態において、中心軸１１４は、水平から０度〜４５度の範囲の角度に、下り勾配がつけられ得る。ある特定の実施形態において、中心軸１１４は、水平から６０〜９０度の範囲の角度に、下り勾配がつけられ得る。ある特定の実施形態において、図１に示されるように、中心軸１１４は、水平から４５度、下り勾配がつけられ得る。
【００１９】
ある特定の実施形態において、ガスライン１２０は、第１の端１２１及び第２の端１２３を備え得る。ある特定の実施形態において、ガスライン１２０は、炭素鋼またはステンレス鋼製であり得る。ある特定の実施形態において、ガスライン１２０は、耐火内張りされ得る。ある特定の実施形態において、ガスライン１２０は、送風機または圧縮機からのガスの流れを受容することができるように寸法決めされ得る。ある特定の実施形態において、ガスライン１２０は、第２の端１２３において、固体移送ライン１３０に接続され得る。
【００２０】
ある特定の実施形態において、ガスライン１２０は、中心軸１２４に沿って位置付けされ得る。ある特定の実施形態において、中心軸１２４は、中心軸１１４に対して、０〜９０度の範囲の角度に、上り勾配がつけられ得るかまたは下り勾配がつけられ得る。ある特定の実施形態において、中心軸１２４は、中心軸１１４に対して、６０〜９０度の範囲の角度に、上り勾配がつけられ得るかまたは下り勾配がつけられ得る。ある特定の実施形態において、中心軸１２４は、中心軸１１４に対して、０〜６０度の範囲の角度に、上り勾配がつけられ得るかまたは下り勾配がつけられ得る。ある特定の実施形態において、中心軸１２４は、中心軸１１４に対して、０〜９０度の範囲の角度に、上り勾配がつけられ得るかまたは下り勾配がつけられ得る。ある特定の実施形態において、図１に示されるように、中心軸１２４は、水平であり得るか、かつ／または、中心軸１１４に対して、４５度、上り勾配がつけられ得る。
【００２１】
ある特定の実施形態において、固体移送ライン１３０は、使用済み触媒移送ラインを含み得る。ある特定の実施形態において、固体移送ライン１３０は、第１の端１３１、第２の端１３３、及びキャップ１３４を備え得る。ある特定の実施形態において、固体移送ライン１３０は、炭素鋼またはステンレス鋼製であり得る。ある特定の実施形態において、固体移送ライン１３０は、耐火内張りされ得る。ある特定の実施形態において、固体移送ライン１３０は、ガスの流れと固体の流れとの結合された流れを受容することができるように寸法決めされ得る。ある特定の実施形態において、固体移送ライン１３０は、第１の端１３１において、ガスライン１２０及び／または固体立て管１１０に接続され得る。ある特定の実施形態において、固体移送ライン１３０は、第２の端１３３において分配装置１４０に接続され得る。
【００２２】
ある特定の実施形態において、固体移送ライン１３０は、中心軸１３５に沿って位置付けされ得る。ある特定の実施形態において、中心軸１３５は、中心軸１２４と一致し得る。ある特定の実施形態において、中心軸１３５は、中心軸１２４に対して、０〜９０度の範囲の角度に、上り勾配がつけられ得るかまたは下り勾配がつけられ得る。ある特定の実施形態において、中心軸１３５は、中心軸１２４に対して０〜４５度の範囲の角度に、上り勾配がつけられ得るかまたは下り勾配がつけられ得る。ある特定の実施形態において、中心軸１３５は、中心軸１２４に対して４５〜９０度の範囲の角度に、上り勾配がつけられ得るかまたは下り勾配がつけられ得る。ある特定の実施形態において、図１に示されるように、中心軸１３５は、水平であり得るか、かつ／または、中心軸１２４と同じであり得る。
【００２３】
ある特定の実施形態において、分配装置１４０は、中心導管１５０、及び１本以上の腕導管１６０を備え得る。ある特定の実施形態において、中心導管１５０は、第１の端１５１、第２の端１５２、及びエンドキャップ１５３を備え得る。ある特定の実施形態において、中心導管１５０は、使用済み触媒移送ライン１３０と同じ材料で作られ得る。ある特定の実施形態において、中心導管１５０は、第２の端１５２において、１本以上の腕導管１６０に接続され得る。
【００２４】
ある特定の実施形態において、中心導管１５０は、中心軸１５４に沿って位置付けされ得る。ある特定の実施形態において、中心軸１５４は、中心軸１３５に対して、０〜９０度の範囲の角度に、上り勾配がつけられ得るかまたは下り勾配がつけられ得る。ある特定の実施形態において、中心軸１５４は、中心軸１３５に対して０〜９０度の範囲の角度に、上り勾配がつけられ得るかまたは下り勾配がつけられ得る。ある特定の実施形態において、中心軸は、中心軸１３５に対して０〜３０度の範囲の角度に、上り勾配がつけられ得るかまたは下り勾配がつけられ得る。ある特定の実施形態において、中心軸は、中心軸１３５に対して４５〜９０度の範囲の角度に、上り勾配がつけられ得るかまたは下り勾配がつけられ得る。ある特定の実施形態において、中心軸は、中心軸１３５に対して３０〜４５度の範囲の角度に、上り勾配がつけられ得るかまたは下り勾配がつけられ得る。ある特定の実施形態において、図１に示されるように、中心軸１５４は、垂直であり得るか、かつ／または、中心軸１３５に対して直角であり得る。
【００２５】
ある特定の実施形態において、分配装置１４０は、１本、２本、３本、４本、５本、６本、７本、８本、９本、１０本、１１本、または１２本の腕導管１６０を備え得る。ある特定の実施形態において、腕導管１６０のそれぞれは、等間隔であり得る。ある特定の実施形態において、１本以上の腕導管１６０は、同じ長さと寸法、または異なる長さと寸法、またはそれらの任意の組合せ、であり得る。ある特定の実施形態において、１本以上の腕導管１６０は、第１の端１６１、第２の端１６２、及びエンドキャップ１６３を備え得る。ある特定の実施形態において、１本以上の腕導管１６０は、エンドキャップではなく開口端を備え得る。ある特定の実施形態において、１本以上の腕導管１６０は、中心導管１５０と同じ材料で作られ得る。
【００２６】
ある特定の実施形態において、１本以上の腕導管１６０は、中心軸１６４に沿って位置付けされ得る。ある特定の実施形態において、中心軸１６４は、中心軸１５４に対して０〜９０度の範囲の角度に、上り勾配がつけられ得るかまたは下り勾配がつけられ得る。ある特定の実施形態において、中心軸１６４は、中心軸１５４に対して０〜４５度の範囲の角度に、上り勾配がつけられ得るかまたは下り勾配がつけられ得る。ある特定の実施形態において、中心軸１６４は、中心軸１５４に対して４５〜９０度の範囲の角度に、上り勾配がつけられ得るかまたは下り勾配がつけられ得る。ある特定の実施形態において、図１に示されるように、中心軸１６４は、水平であり得るか、かつ／または、中心軸１５４に対して直角であり得る。
【００２７】
ある特定の実施形態において、１本以上の腕導管１６０は、細長い穴１６５を備え得る。ある特定の実施形態において、細長い穴１６５は、腕導管１６０の底部、上部、及び／または側部に設けられ得る。ある特定の実施形態において、１本以上の腕導管１６０のそれぞれは、細長い穴１６５を備え得る。ある特定の実施形態において、細長い穴１６５は、幾何学的輪郭を有し得る。ある特定の実施形態において、幾何学的輪郭は、長方形、三角形、または楕円形の形状であり得る。ある特定の実施形態において、幾何学的輪郭は、尖ったまたは丸みを帯びた角を有する任意の形状の組合せであり得る。その他の実施形態において、細長い穴１６５は、先細の形状であり得る。その他の実施形態において、１本以上の腕導管１６０は、細長い穴１６５に代わって１本以上のノズルを備え得る。ある特定の実施形態において、細長い穴１６５及び／またはノズルの形態は、再生器断面積が大きくなるのに合わせて整えられ得る。
【００２８】
ここで、図２を参照すると、図２は、本開示のある特定の実施形態による、固体分配装置システム１０００を示す。ある特定の実施形態において、固体分配装置システム１０００は、固体分配装置１１００及び槽１３００を備え得る。
【００２９】
ある特定の実施形態において、固体分配装置１１００は、固体分配装置１００に関して上に考察されている特徴の任意の組合せを備え得る。ある特定の実施形態において、固体分配装置１１００は、固体立て管１１１０と、ガスライン１１２０と、固体移送ライン１１３０と、分配装置１１４０と、を備え得る。ある特定の実施形態において、固体立て管１１１０、ガスライン１１２０、固体移送ライン１１３０、及び分配装置１１４０は、互いに流体連通している。
【００３０】
ある特定の実施形態において、固体立て管１１１０は、固体立て管１１０に関して上に考察されている特徴の任意の組合せを備え得る。ある特定の実施形態において、図２には示されないが、固体立て管１１１０は、第１の端、バルブ、及び第２の端を備え得る。ある特定の実施形態において、固体立て管１１１０は、中心軸１１１４に沿って位置付けされ得る。ある特定の実施形態において、中心軸１１１４は、中心軸１１４に関して上に考察されている特徴の任意の組合せを備え得る。
【００３１】
ある特定の実施形態において、ガスライン１１２０は、ガスライン１２０に関して上に考察されている特徴の任意の組合せを備え得る。ある特定の実施形態において、図２には示されないが、ガスライン１１２０は、第１の端及び第２の端を備え得る。ある特定の実施形態において、ガスライン１１２０は、中心軸１１２４に沿って位置付けされ得る。ある特定の実施形態において、中心軸１１２４は、中心軸１２４に関して上に考察されている特徴の任意の組合せを備え得る。
【００３２】
ある特定の実施形態において、固体移送ライン１１３０は、固体移送ライン１３０に関して上に考察されている特徴の任意の組合せを備え得る。ある特定の実施形態において、図２には示されないが、固体移送ライン１１３０は、第１の端、第２の端、及びキャップを備え得る。ある特定の実施形態において、固体移送ライン１１３０は、中心軸１１３５に沿って位置付けされ得る。ある特定の実施形態において、中心軸１１３５は、中心軸１３５に関して上に考察されている特徴の任意の組合せを備え得る。
【００３３】
ある特定の実施形態において、分配装置１１４０は、分配装置１４０に関して上に考察されている特徴の任意の組合せを備え得る。ある特定の実施形態において、分配装置１１４０は、中心導管１１５０、及び１本以上の腕導管１１６０を備え得る。
【００３４】
ある特定の実施形態において、中心導管１１５０は、中心導管１５０に関して上に考察されている特徴の任意の組合せを備え得る。ある特定の実施形態において、図２には示されないが、中心導管１１５０は、第１の端、第２の端、及びエンドキャップを備え得る。
【００３５】
ある特定の実施形態において、中心導管１１５０は、中心軸１１５４に沿って位置付けされ得る。ある特定の実施形態において、中心軸１１５４は、中心軸１５４に関して上に考察されている特徴の任意の組合せを備え得る。
【００３６】
ある特定の実施形態において、分配装置１１４０は、１本、２本、３本、４本、５本、６本、７本、８本、９本、１０本、１１本、または１２本の腕導管１１６０を備え得る。ある特定の実施形態において、腕導管１１６０のそれぞれは、等間隔であり得る。ある特定の実施形態において、腕導管１１６０は、腕導管１６０に関して上に考察されている特徴の任意の組合せを備え得る。ある特定の実施形態において、図２には示されないが、１本以上の腕導管１１６０は、第１の端、第２の端、及びエンドキャップを備え得る。ある特定の実施形態において、１本以上の腕導管１１６０は、中心軸１１６４に沿って位置付けされ得る。ある特定の実施形態において、中心軸１１６４は、中心軸１６４に関して上に考察されている特徴の任意の組合せを含み得る。
【００３７】
ある特定の実施形態において、１本以上の腕導管１１６０は、腕導管１１６０上に設けられた細長い穴１１６５を備え得る。ある特定の実施形態において、細長い穴１１６５は、細長い穴１６５に関して上に考察されている特徴の任意の組合せを備え得る。ある特定の実施形態において、１本以上の腕導管１１６０は、細長い穴１１６５に代わってノズルを備え得る。
【００３８】
ある特定の実施形態において、固体分配装置１１００の一部が、槽１３００内に配置され得る。たとえば、図２に示されるように、分配装置１１４０、及び固体移送ライン１１３０の一部が、槽１３００内に配置され得る。ある特定の実施形態において、固体分配装置１１１０の一部が、槽１３００の外側に配置され得る。たとえば、図２に示されるように、固体立て管１１１０、ガスライン１１２０、及び固体移送ライン１１３０の一部が、槽１３００の外側に配置され得る。ある特定の実施形態において、図２には示されないが、固体立て菅１１１０及びガスライン１１２０の一部が、固体移送ライン１１３０とともに槽１３００内に配置され得る。
【００３９】
ある特定の実施形態において、槽１３００は、中心軸１３０４に沿って位置付けされ得る。ある特定の実施形態において、固体分配装置１１００は、中心軸１３０４を中心とするかまたは中心軸１３０４からずれるように位置付けされ得る。
【００４０】
ある特定の実施形態において、槽１３００は、流動床再生器であり得る。ある特定の実施形態において、槽１３００は、流動固体を保持する用途に適した任意の槽であり得る。ある特定の実施形態において、槽１３００は、ＦＣＣ反応器またはＦＣＣストリッパから使用済み触媒を再生するのに使用されるＦＣＣ再生器であり得る。
【００４１】
ある特定の実施形態において、槽１３００は、外壁１３０１を備え得る。ある特定の実施形態において、外壁１３０１は、内室１３１０、固体引入口１３２０、槽立て管１３３０、及び槽ガス排出口１３４０を画定し得る。ある特定の実施形態において、固体移送ライン１１３０は、固体引入口１３２０を貫通し、固体とガスとの結合されたストリームが内室１３１０の中に入るのを可能にし得る。ある特定の実施形態において、槽１３００は、固体とガスとの結合されたストリームにおいて固体を保持することが可能であり得る。ある特定の実施形態において、槽立て管１３３０は、固体が槽１３００を出るのを可能にし得る。ある特定の実施形態において、槽ガス排出口１３４０は、槽のガスが槽１３００を出ることを可能にし得る。
【００４２】
ある特定の実施形態において、引入口１３２０を通る流れの方向は、外壁１３１０に対して直角であり得る。ある特定の実施形態において、引入口１３２０を通る流れの方向は、外壁１３０１に対して直角ではない何らかの角度に、上り勾配がつけられ得るかまたは下り勾配がつけられ得る。
【００４３】
ある特定の実施形態において、固体分配装置システム１０００は、ガスグリッド１２００をさらに備え得る。ある特定の実施形態において、ガスグリッド１２００は、槽１３００の内室１３１０内に配置され得る。ある特定の実施形態において、ガスグリッド１２００は、任意の従来のガスグリッドを含み得る。ある特定の実施形態において、ガスグリッド１２００は、槽１３００にわたるガスの均一な分布を可能にし得る。
【００４４】
ある特定の実施形態において、固体分配装置１１００は、自己支持式であり得る。その他の実施形態において、固体分配装置１１００は、自己支持式ではない可能性がある。
【００４５】
ここで図３を参照すると、図３は、本開示のある特定の実施形態による、固体分配装置システム２０００を示す。ある特定の実施形態において、固体分配装置システム２０００は、固体分配装置２１００、ガスグリッド２２００、及び槽２３００を備え得る。
【００４６】
ある特定の実施形態において、固体分配装置２１００は、固体分配装置１００または固体分配装置１１００に関して上に考察されている特徴の任意の組合せを備え得る。ある特定の実施形態において、固体分配装置２１００は、固体移送ライン２１３０を備え得る。ある特定の実施形態において、固体移送ライン２１３０は、固体移送ライン１１３０及び／または固体移送ライン１３０に関して上に考察されている特徴の任意の組合せを備え得る。
【００４７】
ある特定の実施形態において、槽２３００は、槽１３００に関して上に考察されている特徴の任意の組合せを備え得る。ある特定の実施形態において、槽２３００は、外壁２３０１を備え得る。ある特定の実施形態において、外壁２３０１は、外壁１３０１に関して上に考察されている特徴の任意の組合せを備え得る。
【００４８】
ある特定の実施形態において、ガスグリッド２２００は、ガスグリッド１２００に関して上に考察されている特徴の任意の組合せを備え得る。
【００４９】
ある特定の実施形態において、固体分配装置システム２０００は、支持システム２４００をさらに備え得る。ある特定の実施形態において、支持システム２４００は、引張または圧縮における支持具の任意の組合せを備え得る。ある特定の実施形態において、支持システム２４００は、梁２４１０、三角トラス２４２０、横梁２４３０、及び引張梁２４４０を備え得る。
【００５０】
ある特定の実施形態において、支持システム２４００は、梁２４１０を備え得る。ある特定の実施形態において、梁２４１０は、固体分配装置２１００を槽２３００に取り付けることのできる任意の材料を含み得る。ある特定の実施形態において、分配装置２１００の固体移送ライン２１３０は、梁２４１０に載置され得る。ある特定の実施形態において、梁２４１０は、外壁２３０１の内側表面上の第１の点と、外壁２３０１の内側表面上の第２の点との間の槽２３００の弦に渡り得る。ある特定の実施形態において、梁の第１の端は、外壁２３０１の内側表面上の第１の点に接続され得、梁２４１０の第２の端は、外壁２３０１の内側表面上の第２の点に接続され得る。
【００５１】
ある特定の実施形態において、支持システム２４００は、１つ、２つ、３つ、４つ、または５つの三角トラス２４２０及び横梁２４３０を備え得る。ある特定の実施形態において、三角トラス２４２０及び横梁２４３０は、固体分配装置２１００を槽２３００に取り付けることのできる任意の材料を含み得る。ある特定の実施形態において、横梁２４３０は、三角トラス２４２０の節点２４２１に取り付けられ得る。ある特定の実施形態において、分配装置２１００の固体移送ライン２１３０は、横梁２４３０に載置され得る。ある特定の実施形態において、三角トラス２４２０の第１の端２４２２、及び三角トラス２４２０の第２の端２４２３は、外壁２３０１の内側表面に接続され得る。
【００５２】
ある特定の実施形態において、支持システム２４００は、引張梁または引張棒２４４０を備え得る。ある特定の実施形態において、引張梁または引張棒２４４０は、固体分配装置２１００を槽２３００に取り付けることができる任意の材料を含み得る。ある特定の実施形態において、引張梁または引張棒２４４０の第１の端２４４１は、固体移送ライン２１３０に接続され得る。ある特定の実施形態において、引張梁または引張棒２４４０の第２の端２４４２は、外壁２３０１の内側表面に接続され得る。
【００５３】
ある特定の実施形態において、本開示は、流動固体を分配する方法を提供し、この方法は、固体分配装置システムを提供することであって、固体分配装置システムが、槽と、槽内に配置された固体分配装置とを備え、固体分配装置が、固体立て管、ガスライン、固体立て管及びガスラインと流体連通している固体移送ライン、ならびに固体移送ラインと流体連通しており、かつ固体及びガスの流れを槽に導入する、分配装置を備える、ことを含む。
【００５４】
ある特定の実施形態において、固体分配装置システムは、上に考察されているいずれかの固体分配装置システムを含み得る。ある特定の実施形態において、固体分配装置は、上に考察されているいずれかの固体分配装置を含み得る。ある特定の実施形態において、固体分配装置は、ＦＣＣ再生器用の使用済み触媒分配装置を含み得る。ある特定の実施形態において、槽は、上に考察されているいずれかの槽を含み得る。ある特定の実施形態において、槽は、ＦＣＣ再生器を含み得る。
【００５５】
ある特定の実施形態において、固体及びガスの流れを槽に導入することは、ガスの流れを固体分配装置に導入することを含み得る。ある特定の実施形態において、ガスの流れを固体分配装置に導入することは、ガスの流れを固体分配装置のガスラインに導入することを含み得る。ある特定の実施形態において、ガスの流れは、送風機または圧縮機からのガスの流れであり得る。
【００５６】
ある特定の実施形態において、固体及びガスの流れを槽に導入することは、固体の流れを固体分配装置に導入することを含み得る。ある特定の実施形態において、固体の流れを固体分配装置に導入することは、固体の流れを固体分配装置の固体立て管に導入することを含み得る。ある特定の実施形態において、固体の流れは、ＦＣＣ反応器またはＦＣＣストリッパからの使用済み触媒の流れであり得る。
【００５７】
ある特定の実施形態において、固体及びガスの流れを槽に導入することは、固体の流れとガスの流れとを結合し、固体とガスとの結合された流れを槽に導入することを含み得る。ある特定の実施形態において、固体の流れを固体分配装置の固体立て管に導入するのと同時に、ガスの流れを固体分配装置のガスラインに導入することによって、固体の流れとガスの流れとが結合され得る。ある特定の実施形態において、固体とガスとの結合された流れは、固体移送ライン及び分配装置を通過した後、槽に導入され得る。ある特定の実施形態において、固体とガスとの結合された流れは、分配装置の１つ以上の細長い穴を通って流れ得る。ある特定の実施形態において、方法は、槽内で使用済み触媒を再生することをさらに含み得る。
【００５８】
本発明のよりよい理解を促すために、以下に、特定の実施形態の実施例が与えられる。以下の実施例は、決して本発明の範囲を制限する、または定めるとして解されるべきではない。
【実施例】
【００５９】
本開示のある特定の実施形態による、固体分配装置の分配特性及び混合性を試験するために、コンピュータシミュレーションが行われた。実演説明の目的上、選んだ固体分配装置のタイプは、ＦＣＣ再生器用の使用済み触媒分配装置であった。本開示のある特定の実施形態による使用済み触媒分配装置の性能を、従来の使用済み触媒分配装置の性能と比較して、シミュレーションが行われた。
【００６０】
設定のそれぞれに対して、流動床システムに使用済み触媒粒子を導入して、シミュレーションが行われた。形状及び流量は、典型的なＦＣＣ再生器工程を表すものであった。床への使用済み触媒添加率は、４００ｋｇ／秒に固定されたが、分配装置デバイスへの空気添加率は、５ｍ／秒〜１５ｍ／秒の範囲で変動し、また再生器床動作状態は、一定に保たれた。
【００６１】
シミュレーションでは、使用済み触媒引入れデバイスの再生器床混合効率、再生器床における粒子の滞留時間とともに、使用済み触媒分配デバイス腕導管内の使用済み触媒の分布を測定した。
【００６２】
両方のシミュレーションの混合効率の図が、図４に示される。各画像は、再生器床における一定の秒経過後の床における使用済み触媒粒子のパルスの分布を示す。第１の画像（既存のＳＣＤ技術）は、従来の使用済み触媒分配装置が使用された場合の結果を示し、第２の画像（新規に設計されたＳＣＤ）は、本開示のある特定の実施形態による使用済み触媒分配装置が使用された場合の結果を示す。図４で分かるように、本開示のある特定の実施形態による使用済み触媒分配装置を使用することによって、再生器の断面にわたる使用済み触媒粒子の分布が大幅に向上する。
【００６３】
したがって、結果は、本明細書に開示され、シミュレーションにおける使用済み触媒分配装置によって表された、流動固体分配装置が、従来の流動固体分配装置よりも高いレベルで機能することを示す。
【００６４】
様々な実装及び活用に関連して本実施形態が説明されているが、これらの実施形態が、例示的なものであり、また本発明の対象の範囲がそれらに限定されないことが理解されるであろう。多くの変更、修正、追加、及び改良が考えられる。
【００６５】
１つの例として本明細書に説明されている構成要素、工程、または構造に対して複数の例が提供され得る。一般に、代表的な構成における個々の構成要素として提示された構造及び機能性は、組み合わされた構造または構成要素として実装され得る。同様に、１つの構成要素として提示された構造及び機能性は、個々の構成要素として実装され得る。これら及びその他の変更、修正、追加、及び改良は、本発明の対象の範囲内に含まれ得る。
【図１】
2018516746.tif 000003
【図２】
2018516746.tif 000004
【図３】
2018516746.tif 000005
【図４】
2018516746.tif 000006
【国際調査報告】
2018516746.tif 000007
2018516746.tif 000008
2018516746.tif 000009